(57)【要約】【課題】突入電流を確実に防止できる電力変換装置を提供する。【解決手段】コンバータおよびインバータの駆動停止時、突入電流防止用の抵抗素子に対するバイパス電流路およびノイズフィルタの接続ラインを遮断する。運転開始の指示を受けてから一定時間後、抵抗素子に対するバイパス電流路およびノイズフィルタの接続ラインを導通し、かつコンバータおよびインバータの駆動を開始する。【選択図】図１
2017135763.tif 000002
【特許請求の範囲】
【請求項１】
交流電源の電圧を直流に変換するコンバータと、
前記コンバータの出力端に接続された平滑コンデンサと、
前記平滑コンデンサの電圧を交流電圧に変換するインバータと、
前記交流電源と前記ＰＷＭコンバータとの間の電源ラインに接続された突入電流防止用の抵抗素子と、
前記抵抗素子に流れる電流をバイパスするバイパス電流路と、
前記交流電源と前記コンバータとの間の電源ラインに接続されたノイズフィルタと、
前記コンバータおよび前記インバータの駆動停止時に前記バイパス電流路および前記ノイズフィルタの接続ラインを遮断し、運転開始の指示を受けてから一定時間後に前記バイパス電流路および前記ノイズフィルタの接続ラインを導通しかつ前記コンバータおよび前記インバータの駆動を開始する制御手段と、
を備えることを特徴とする電力変換装置。
【請求項２】
前記抵抗素子に並列接続されて前記バイパス電流路を形成する第１開閉接点と、
前記抵抗素子とは異なる電源ラインに接続された第２開閉接点と、
前記電源ラインと前記ノイズフィルタとの接続ラインに挿入された第３開閉接点と、
をさらに備え、
前記制御手段は、前記コンバータおよび前記インバータの駆動停止時に前記第１，第２および第３開閉接点を開放し、運転開始の指示を受けてから一定時間後に前記第１，第２および第３開閉接点を閉成しかつ前記コンバータおよび前記インバータの駆動を開始する、
ことを特徴とする請求項１記載の電力変換装置。
【請求項３】
前記交流電源は、三相交流電源であり、
前記ノイズフィルタは、前記三相交流電源と前記ＰＷＭコンバータとの間の第１，第２，第３電源ラインのうち、第１電源ラインと第２電源ラインとの間に接続された第１線間コンデンサ、第２電源ラインと第３電源ラインとの間に接続された第２線間コンデンサ、第１電源ラインと第３電源ラインとの間に接続された第３線間コンデンサであり、
前記第３開閉接点は、前記第１および第２開閉接点が接続されていない前記電源ラインとこの電源ラインに接続された線間コンデンサとの接続間に挿入されている、
ことを特徴とする請求項２記載の電力変換装置。
【発明の詳細な説明】
【技術分野】
【０００１】
本発明の実施形態は、交流電源の電圧を直流に変換し、その直流電圧を所定周波数の交流電圧に変換する電力変換装置に関する。
【背景技術】
【０００２】
交流電源の電圧を直流に変換するコンバータ、このコンバータの出力端に接続された平滑コンデンサ、この平滑コンデンサの電圧を所定周波数の交流電圧に変換するインバータを備え、交流電源とコンバータとの間の電源ラインに突入電流防止用の抵抗素子たとえばＰＴＣサーミスタを挿入接続し、そのＰＴＣサーミスタに対し開閉接点（例えばリレー接点）を並列接続した電力変換装置が知られている。インバータの出力は、負荷たとえばモータ（圧縮機モータやファンモータ等）の駆動電力となる。
【０００３】
開閉接点は、電源の非投入時に開いている。これにより、電源ラインにＰＴＣサーミスタが投入され、電源投入時の平滑コンデンサへの突入電流が防止される。突入電流の防止により、コンバータの電気部品の破壊を防ぐようにしている。
【０００４】
負荷に対する運転開始指示が入ると、それから一定時間たとえば３０秒が経過した後、突入電流の心配がなくなったとの判断の下に、開閉接点が閉成される。そして、コンバータおよびインバータの駆動による負荷の運転が開始される。
【０００５】
開閉接点が閉成されると、ＰＴＣサーミスタに対するバイパス電流路が形成され、ＰＴＣサーミスタに電流が流れなくなる。ＰＴＣサーミスタに電流が流れたままではＰＴＣサーミスタの温度上昇およびそれに伴う抵抗値増大が続いてコンバータへの入力電流が減少し、インバータを駆動できなくなるので、それを防ぐようにしている。
【０００６】
一方、ＰＷＭコンバータを用いた電力変換装置の場合、ＰＷＭコンバータのスイッチングに伴うノイズが電源電圧に重畳し、重畳したノイズが同じ交流電源に接続されている他の電気機器に伝わってその電気機器の運転に悪影響を与える。
【０００７】
このため、ＰＷＭコンバータを用いた電力変換装置の場合、交流電源とＰＷＭコンバータとの間の電源ラインに、線間コンデンサなどのノイズフィルタが接続される。とくに、十分なノイズ除去効果を得るためには、数μＦ程度の大きな容量の線間コンデンサが接続される。
【先行技術文献】
【特許文献】
【０００８】
【特許文献１】特開２０１２−１６５５０９号公報
【発明の概要】
【発明が解決しようとする課題】
【０００９】
上記のように大きな容量の線間コンデンサが接続されると、ＰＴＣサーミスタに並列接続されている開閉接点が開いているときに、数Ａの大きな電流が線間コンデンサを経由してＰＴＣサーミスタに流れ、ＰＴＣサーミスタの温度が大きく上昇してその抵抗値が大きく増大する。ＰＴＣサーミスタの抵抗値が大きく増大すると、電源電圧の大部分がＰＴＣサーミスタに加わるようになり、それに伴い、線間コンデンサに加わる電圧がほぼ零に低下する。線間コンデンサに加わる電圧がほぼ零に低下すると、ＰＷＭコンバータの整流素子を介した平滑コンデンサへの電圧印加がなくなり、平滑コンデンサの電圧が放電しながら低下していく。
【００１０】
このため、開閉接点が閉成する時点で平滑コンデンサの電圧が大きく低下していれば、平滑コンデンサに突入電流が流れてしまう。突入電流防止用のＰＴＣサーミスタを採用していながら、突入電流を防止できない事態となる。
【００１１】
本発明の実施形態の目的は、突入電流を確実に防止できる電力変換装置を提供することである。
【課題を解決するための手段】
【００１２】
請求項１の電力変換装置は、交流電源の電圧を直流に変換するコンバータと、このコンバータの出力端に接続された平滑コンデンサと、この平滑コンデンサの電圧を交流電圧に変換するインバータと、交流電源とＰＷＭコンバータとの間の電源ラインに接続された突入電流防止用の抵抗素子と、この抵抗素子に流れる電流をバイパスするバイパス電流路と、交流電源とコンバータとの間の電源ラインに接続されたノイズフィルタと、制御手段とを備える。制御手段は、コンバータおよびインバータの駆動停止時にバイパス電流路およびノイズフィルタの接続ラインを遮断し、運転開始の指示を受けてから一定時間後にバイパス電流路およびノイズフィルタの接続ラインを導通しかつコンバータおよびインバータの駆動を開始する。
【図面の簡単な説明】
【００１３】
【図１】一実施形態の構成を示すブロック図。
【図２】同実施形態の制御を示すフローチャート。
【図３】同実施形態における各常開接点の開閉を平滑コンデンサおよびＰＴＣサーミスタの電圧変化と共に示す図。
【発明を実施するための形態】
【００１４】
以下、一実施形態について図面を参照して説明する。  
図１に示すように、商用の三相交流電源１にブレーカ３を介してコンバータたとえばＰＷＭコンバータ２０が接続され、そのＰＷＭコンバータ２０の出力端に平滑コンデンサ５が接続される。そして、平滑コンデンサ５にインバータ５０が接続され、そのインバータ５０の出力端に負荷たとえばブラシレスＤＣモータ６の相巻線Ｌｕ，Ｌｖ，Ｌｗが接続される。ブラシレスＤＣモータ６は、例えば圧縮機やファンの駆動用として冷凍サイクル装置に搭載される。
【００１５】
ＰＷＭコンバータ２０は、リアクタ２１，２２，２３、これらリアクタ２１，２２，２３を介した入力電圧を受けるダイオード（整流素子）３１ａ〜３６ｂのブリッジ回路、これらダイオード３１ａ〜３６ｂに並列接続されたスイッチング素子たとえばＭＯＳＦＥＴ５１〜５６を有し、ダイオード３１ａ〜３６ｂによる整流機能を有するとともに、ＭＯＳＦＥＴ５１〜５６による昇圧や力率改善の機能を有する。例えば、１００Ｖの交流電圧を３００Ｖの直流電圧に変換する。
【００１６】
ダイオード３１ａ〜３６ｂのブリッジ回路は、ダイオード３１ａ，３２ａの直列回路、ダイオード３３ａ，３４ａの直列回路、ダイオード３５ａ，３６ａの直列回路により構成される。ダイオード３１ａ，３２ａの相互接続点がＲ相電源ライン（第１電源ライン）４ｒに接続され、ダイオード３３ａ，３４ａの相互接続点がＳ相電源ライン（第２電源ライン）４ｓに接続され、ダイオード３５ａ，３６ａの相互接続点がＴ相電源ライン（第３電源ライン）４ｔに接続される。なお、ダイオード３１ａ〜３６ｂは、ＭＯＳＦＥＴ５１〜５６の寄生ダイオードである。
【００１７】
インバータ５０は、ＭＯＳＦＥＴ５１，５２を直列接続し、そのＭＯＳＦＥＴ５１，５２の相互接続点がブラシレスＤＣモータ６の相巻線Ｌｕに接続されるＵ相直列回路、ＭＯＳＦＥＴ５３，５４を直列接続しそのＭＯＳＦＥＴ５３，５４の相互接続点がブラシレスＤＣモータ６の相巻線Ｌｖに接続されるＶ相直列回路、ＭＯＳＦＥＴ５５，５６を直列接続しそのＭＯＳＦＥＴ５５，５６の相互接続点がブラシレスＤＣモータ６の相巻線Ｌｗに接続されるＷ相直列回路を含み、平滑コンデンサ５の電圧を各ＭＯＳＦＥＴのスイッチングにより所定周波数の三相交流電圧に変換し各ＭＯＳＦＥＴの相互接続点から出力する。なお、ＭＯＳＦＥＴ５１〜５６は、寄生ダイオード５１ａ〜５６ａを有する。
【００１８】
ブラシレスＤＣモータ６は、星形結線された３つの相巻線Ｌｕ，Ｌｖ，Ｌｗを有する固定子、および永久磁石を有する回転子により構成される。相巻線Ｌｕ，Ｌｖ，Ｌｗに電流が流れることにより生じる磁界と永久磁石が作る磁界との相互作用により、回転子が回転する。
【００１９】
インバータ５０の出力端とブラシレスＤＣモータ６との間の通電路に出力電流（相巻線電流）検知用の電流センサ６１，６２，６３が取付けられ、この電流センサ６１，６２，６３の検知結果が制御部７０に供給される。平滑コンデンサ５の両端に電圧検出部７が接続され、この電圧検出部７の検出結果（平滑コンデンサ５の電圧）Ｖdcが制御部７０に供給される。
【００２０】
リレー８１にＮＰＮ型トランジスタ７１のコレクタ・エミッタを介して直流電圧Ｖｄが印加され、そのトランジスタ７１のベースが制御部７０に接続される。リレー８１は、第１開閉接点および第２開閉接点として常開接点８１ａおよび８１ｂを有する。リレー８２にＮＰＮ型トランジスタ７２のコレクタ・エミッタを介して直流電圧Ｖｄが印加され、そのトランジスタ７２のベースが制御部７０に接続される。リレー８２は、第３開閉接点として常開接点８２ａを有する。
【００２１】
一方、三相交流電源１とブレーカ３との間の電源ラインに、電源ラインインピーダンス２ｒ，２ｓ，２ｔが存在する。そして、ブレーカ３からＰＷＭコンバータ２０にかけての電源ライン４ｒ，４ｓ，４ｔのうち、２つの電源ライン４ｓ，４ｔに、常開接点８１ａ，８１ｂが挿入接続される。そして、常開接点８１ａ，８１ｂの一方たとえば常開接点８１ｂに対し、突入電流防止用の自己発熱型の抵抗素子であるＰＴＣ（Positive Temperature Coefficient）サーミスタ（正特性サーミスタともいう）１０が並列接続される。常開接点８１ｂが閉成すると、ＰＴＣサーミスタ１０に流れる電流をバイパスするバイパス電流路が形成され、常開接点８１ｂが開放するとそのバイパス電流路が遮断される。常開接点８１ａと８１ｂとはリレー８１によって連動して動作し、開放すると、常開接点が設けられていない電源ライン４ｒからＰＴＣサーミスタ１０を経由して電源ライン４ｔに至る電流経路が形成される。このため、常開接点８１ａ，８１ｂが開いた状態では、三相交流電源１からの電流は、必ずＰＴＣサーミスタ１０を通ることとなり、平滑コンデンサ５へ過大な電流が流れることを防止する。この結果、常開接点８１ａ，８１ｂおよびＰＴＣサーミスタ１０により、平滑コンデンサ５への突入電流を防止する突入電流防止回路（突入電流防止手段）が構成されることになる。
【００２２】
さらに、電源ライン４ｒ，４ｓ，４ｔにおいて、突入電流防止回路の接続位置よりＰＷＭコンバータ２０側の位置に、ノイズフィルタである３つの線間コンデンサ（第１，第２，第３コンデンサ）Ｃrs，Ｃst，Ｃtrが接続される。線間コンデンサＣrs，Ｃst，Ｃtrは、ＰＷＭコンバータ２０のスイッチングに伴って電源ライン４ｒ，４ｓ，４ｔ上の電源電圧に重畳するノイズを除去するもので、十分なノイズ除去効果が得られるよう数μＦ程度の大きな容量を持つ。
【００２３】
具体的には、Ｒ相電源ライン４ｒに線間コンデンサＣrsの一端が接続され、その線間コンデンサＣrsの他端がＳ相電源ライン４ｓに接続される。Ｓ相電源ライン４ｓに線間コンデンサＣstの一端が接続され、その線間コンデンサＣstの他端がリレー８２の常開接点８２ａを介してＴ相電源ライン４ｔに接続される。Ｒ相電源ライン４ｒに線間コンデンサＣtrの一端が接続され、その線間コンデンサＣtrの他端がリレー８２の常開接点８２ａを介してＴ相電源ライン４ｔに接続される。
【００２４】
制御部７０は、主要な機能として次の（１）〜（３）の手段を有する。  
（１）ＰＷＭコンバータ２０およびインバータ５０の駆動停止時にリレー８１の消勢（常開接点８１ａ，８１ｂ開放）によりＰＴＣサーミスタ１０に対するバイパス電流路を遮断してＰＴＣサーミスタ１０を投入し、運転開始の指示を受けてから一定時間（例えば３０秒間）ｔｓ後にリレー８１を付勢（常開接点８１ａ，８１ｂ閉成）してＰＴＣサーミスタ１０に対するバイパス電流路を導通する第１制御手段。
【００２５】
（２）ＰＷＭコンバータ２０およびインバータ５０の駆動停止時にリレー８２の消勢（常開接点８２ａ開放）により線間コンデンサＣst，Ｃtrの接続ラインを遮断し、運転開始の指示を受けてから一定時間ｔｓ後にリレー８２を付勢（常開接点８２ａ閉成）して線間コンデンサＣst，Ｃtrの接続ラインを導通する第２制御手段。
【００２６】
（３）運転開始の指示を受けてから一定時間ｔｓ後にＰＷＭコンバータ２０およびインバータ５０の駆動を開始し、運転停止の指示を受けた場合にＰＷＭコンバータ２０およびインバータ５０の駆動を停止する第３制御手段。
【００２７】
なお、（１）の第１制御手段は、ＰＴＣサーミスタ１０および常開接点８１ａ，８１ｂと共に突入電流防止手段の構成要素となる。
【００２８】
つぎに、動作を説明する。  
三相交流電源１が投入されると、三相交流電源１の交流電圧がＰＷＭコンバータ２０のダイオード３１ａ〜３６ｂで整流されて平滑コンデンサ５に印加される。
【００２９】
この電源投入時、ＰＷＭコンバータ２０の出力電圧Ｖaと平滑コンデンサ５の電圧Ｖdcとの差“Ｖa−Ｖdc”および三相交流電源１から平滑コンデンサ５までのラインインピーダンスＺに応じた突入電流Ｉx＝（Ｖa−Ｖdc）／Ｚが流れようとするが、その通電路にはリレー８１の消勢による常開接点８１ｂの開放によってＰＴＣサーミスタ１０が投入された状態にあるので、実際にはＰＴＣサーミスタ１０の抵抗値Ｒが加わる分だけ抑制された電流Ｉy＝（Ｖa−Ｖdc）／（Ｚ＋Ｒ）が流れる。  
この場合、リレー８２も消勢されて常開接点８２ａが開放しており、その開放により線間コンデンサＣst，Ｃtrの接続ラインが遮断された状態にある。
【００３０】
仮に、線間コンデンサＣst，Ｃtrの接続ラインが遮断されていない場合は、電源投入に伴い、図１に矢印で示すようにＲ相電源ライン４ｒから線間コンデンサＣtrを経由してＴ相電源ライン４ｔおよびＰＴＣサーミスタ１０に大きな電流が流れ、ＰＴＣサーミスタ１０の温度が大きく上昇してその抵抗値が大きく増大する。ＰＴＣサーミスタ１０の抵抗値が大きく増大すると、電源電圧の大部分がＰＴＣサーミスタ１０に加わってＰＴＣサーミスタ１０の電圧Ｖptcが上昇し、それに伴い、線間コンデンサＣrs，Ｃst，Ｃtrに加わる電圧がほぼ零に低下する。線間コンデンサＣrs，Ｃst，Ｃtrに加わる電圧がほぼ零に低下すると、平滑コンデンサ５に電圧が印加されなくなるので、平滑コンデンサ５の電圧Ｖdcは徐々に放電しながら低下していく。
【００３１】
このような状況において、ＰＴＣサーミスタ１０への通電を止めるべくリレー８１が付勢されて常開接点８１ａ，８１ｂが閉成すると、その閉成の時点で平滑コンデンサ５の電圧Ｖdcが突入電流防止レベルを下回っている可能性がある。こうなると、平滑コンデンサ５に突入電流が流れてしまう。突入電流防止用のＰＴＣサーミスタ１０を採用していながら、突入電流を防止できない事態となる。
【００３２】
そこで、制御部７０は、図２のフローチャートに示す制御を実行する。この制御による常開接点８１ａ，８１ｂ，８２ａの開閉を平滑コンデンサ５の電圧ＶdcおよびＰＴＣサーミスタ１０の電圧Ｖptcの変化と共に図３に示す。
【００３３】
制御部７０は、ＰＷＭコンバータ２０およびインバータ５０の駆動を停止してブラシレスＤＣモータ６の運転を停止しているとき（ステップＳ１のＹＥＳ）、冷凍サイクル装置からの運転開始指示を監視する（ステップＳ２）。運転開始指示がなければ（ステップＳ２のＮＯ）、リレー８１，８２の消勢による常開接点８１ａ，８１ｂ，８２ａの開放状態を維持する（ステップＳ９）。
【００３４】
常開接点８２ａが開放状態であることにより、線間コンデンサＣst，Ｃtrの接続ラインが遮断状態にあり、よって図１に矢印で示したＲ相電源ライン４ｒから線間コンデンサＣtrを経由してＴ相電源ライン４ｔおよびＰＴＣサーミスタ１０に向かう大きな電流の経路は形成されない。したがって、ＰＴＣサーミスタ１０の大きな温度上昇および大きな抵抗値増大が生じることはなく、ＰＴＣサーミスタ１０の電圧Ｖptcの不要な上昇を回避することができる。ひいては、線間コンデンサＣrs，Ｃst，Ｃtrの電圧低下とそれに伴う平滑コンデンサ５の電圧Ｖdcの不要な低下を防ぐことができる。
【００３５】
運転開始指示を受けた場合（ステップＳ１のＹＥＳ、ステップＳ２のＹＥＳ）、制御部７０は、タイムカウントｔを開始し（ステップＳ３）、そのタイムカウントｔと一定時間（例えば３０秒間）ｔｓとを比較する（ステップＳ４）。
【００３６】
タイムカウントｔが一定時間ｔｓに達したとき（ステップＳ４のＹＥＳ）、制御部７０は、リレー８１，８２を付勢して常開接点８１ａ，８１ｂ，８２ａを閉成する（ステップＳ５）。すなわち、この時点では突入電流の心配がないとの判断の下に、常開接点８１ｂを閉成して、ＰＷＭコンバータ２０およびインバータ５０への電流が常開接点８１ｂを流れるようにして、ＰＴＣサーミスタ１０にはほとんど電流が流れない状態とし、運転中はＰＴＣサーミスタ１０による不要な電力消費を防ぐようにしている。また、常開接点８２ａを閉成して線間コンデンサＣst，Ｃtrの接続ラインを導通し、ＰＷＭコンバータ２０の駆動が始まることによるノイズ発生に備えるようにしている。
【００３７】
このリレー８１，８２の付勢に伴い、制御部７０は、ＰＷＭコンバータ２０およびインバータ５０の駆動を開始してブラシレスＤＣモータ６の運転を開始する（ステップＳ６）。この運転開始時、常開接点８２ａの閉成によって線間コンデンサＣst，Ｃtrの接続ラインが導通しているので、ＰＷＭコンバータ２０のスイッチングに伴い発生するノイズを線間コンデンサＣrs，Ｃst，Ｃtrによって確実に除去することができる。
【００３８】
電源投入と同時に運転開始指示が入ることも考えられるが、運転開始指示を受けてから一定時間ｔｓが経過するまではリレー８１の消勢によって常開接点８１ｂが開放状態を保っているので、電源投入に際しての突入電流を確実に防止できる。
【００３９】
ブラシレスＤＣモータ６の運転中（ステップＳ１のＮＯ）、制御部７０は、冷凍サイクル装置からの運転停止指示を監視する（ステップＳ７）。運転停止指示がなければ（ステップＳ７のＮＯ）、制御部７０は、上記ステップＳ５，Ｓ６の処理を繰り返し、リレー８１，８２の付勢状態を維持して、ＰＷＭコンバータ２０およびインバータ５０の駆動を継続する。
【００４０】
ブラシレスＤＣモータ６の運転中（ステップＳ１のＮＯ）、運転停止指示を受けた場合（ステップＳ７のＹＥＳ）、制御部７０は、ＰＷＭコンバータ２０およびインバータ５０の駆動を停止してブラシレスＤＣモータ６の運転を停止する（ステップＳ８）。そして、制御部７０は、リレー８１，８２を消勢して常開接点８１ａ，８１ｂ，８２ａを開放し（ステップＳ９）、ステップＳ１からの処理を繰り返す。
【００４１】
以上のように、線間コンデンサＣst，Ｃtrの接続ラインにリレー８２の常開接点８２ａを挿入接続し、その常開接点８２ａをＰＷＭコンバータ２０およびインバータ５０の駆動停止時に開放して線間コンデンサＣst，Ｃtrの接続ラインを遮断する構成としたので、たとえ線間コンデンサＣrs，Ｃst，Ｃtrの容量が大きくても、それに影響を受けることなく、平滑コンデンサ５への突入電流を確実に防止できる。
【００４２】
２つの線間コンデンサＣst，Ｃtrの接続ラインの導通と遮断を１つの常開接点８２ａで切換えるので、部品数を少なくすることができて、コストの低減が図れる。
【００４３】
なお、上記実施形態では、負荷がブラシレスＤＣモータである場合を例に説明したが、ブラシレスＤＣモータ以外の機器が負荷である場合にも同様に実施できる。
【００４４】
上記実施形態では、ＰＴＣサーミスタ１０に対するバイパス電流路をリレーの常開接点によって導通および遮断する構成としたが、リレーの常開接点に限らず、同様の機能を有するものであれば他の機器を用いてもよい。また、２つのリレー８１，８２を用いて３つの常開接点８１ａ，８１ｂ，８２ａを駆動する回路を構成したが、これらの３つの常開接点の動作は、同期しているため、１つのリレーによって３つの常開接点８１ａ，８１ｂ，８２ａを駆動するようにしてもよい。
【００４５】
さらに、本実施形態においては、常開接点８１ａ，８１ｂ，８２ａの閉動作とＰＷＭコンバータ２０およびインバータ５０の運転開始を同時としているが、平滑コンデンサ５が確実に充電されて、その両端間電圧Ｖdcが十分に高くなった後にＰＷＭコンバータ２０およびインバータ５０の運転開始させるように、常開接点８１ａ，８１ｂ，８２ａの閉動作から、所定時間（数秒程度の短時間）経過した後、ＰＷＭコンバータ２０およびインバータ５０の運転開始を行うようにしてもよい。
【００４６】
その他、上記実施形態および変形は、例として提示したものであり、発明の範囲を限定することは意図していない。この新規な実施形態および変形例は、その他の様々な形態で実施されることが可能であり、発明の要旨を逸脱しない範囲で、種々の省略、書き換え、変更を行うことができる。これら実施形態や変形は、発明の範囲は要旨に含まれるとともに、特許請求の範囲に記載された発明とその均等の範囲に含まれる。
【符号の説明】
【００４７】
１…三相交流電源、４ｒ，４ｓ，４ｔ…電源ライン、５…平滑コンデンサ、６…ブラシレスＤＣモータ（負荷）、７…電圧検出部、１０…ＰＴＣサーミスタ、Ｃrs，Ｃst，Ｃtr…線間コンデンサ（ノイズフィルタ）、２０…ＰＷＭコンバータ、５０…インバータ、７０…制御部（制御手段）、７１，７２…ＮＰＮ型トランジスタ、８１，８２…リレー、８１ａ…常開接点（第１開閉接点）、８１ｂ…常開接点（第２開閉接点）、８２ａ…常開接点（第３開閉接点）
【図１】
2017135763.tif 000003
【図２】
2017135763.tif 000004
【図３】
2017135763.tif 000005